(57)【要約】  本発明の実施形態は、シール部が破損した場合に流体を排出するように、シール部が画成された経路を備えている、加圧下で流体を運ぶかまたは収容するための方法および装置を目的とする。【特許請求の範囲】
【請求項１】
加圧下で流体を生成するかまたは運ぶための装置であって、
ａ）ハウジング外部、キャップ当接面、チャンバおよびボア開口部を有するハウジングであり、前記キャップ当接面がキャップを受けるためのボア開口部を取り囲む外部から離れたハウジングの領域を備え、前記チャンバが加圧下で流体を収容するためのものであり、前記ボア開口部が前記キャップ当接面から前記チャンバまで延びて、シール面および少なくとも１つのハウジングシール圧縮面を有する、ハウジングと、
ｂ）前記ボア開口部に保持されるシール部であり、前記シール部がシール開口部およびハウジング係合面を有し、前記シール開口部が軸方向にそれを通って延びるシャフトを受けるためのものであり、シール部を軸方向に前記シール圧縮面に圧縮すると、前記シール部は前記ハウジング係合面を前記シール面にシールするように係合する、シール部と、
ｃ）軸心を有し、前記軸心を中心として回転し、または前記軸心に沿って移動するために、前記シール部のシール開口部に取付けられるシャフトと、
ｄ）キャップ外部、ハウジング当接面、キャップ開口部、およびキャップシール圧縮面を有するキャップであり、前記ハウジング当接面が前記キャップ当接面と係合し、前記シャフトが前記キャップ開口部を通って延び、前記シール部を前記シール圧縮面に当てて前記キャップシール圧縮面が前記シール部に押圧され、前記ハウジング係合面を前記シール面にシールするように係合しつつ、前記キャップが前記ハウジングに固定される、キャップと、
ｅ）前記ハウジング係合面から前記キャップ外部または前記ハウジング外部のうちの少なくとも１つまで、前記キャップ当接面および前記ハウジング当接面から離れて流体を受けて運ぶための流路手段と、
を備える、装置。
【請求項２】
前記流路手段が、前記ハウジングまたはキャップのうちの少なくとも１つにあるチャネルであることを特徴とする、請求項１に記載の装置。
【請求項３】
前記シールが本体部およびキャップパッドを有し、前記本体部が前記ハウジング係合面と係合するためのものであり、キャップパッドが前記本体部よりも小さな可撓性を有し前記ハウジングシール圧縮面に前記本体部を圧縮することを特徴とする、請求項１に記載の装置。
【請求項４】
前記キャップパッドが、キャップ係合面を有することを特徴とする、請求項３に記載の装置。
【請求項５】
前記流路手段が、前記キャップ係合面にある少なくとも１つのチャネルであることを特徴とする、請求項４に記載の装置。
【請求項６】
前記流路手段が、前記シール圧縮面にある少なくとも１つのチャネルであることを特徴とする、請求項４に記載の装置。
【請求項７】
前記ハウジングが、ポンプハウジングであることを特徴とする、請求項１に記載の装置。
【請求項８】
前記ハウジングが、バルブハウジングであることを特徴とする、請求項１に記載の装置。
【請求項９】
前記シャフトが、回転することを特徴とする、請求項１に記載の装置。
【請求項１０】
前記シャフトが、ハウジング内で軸方向に往復運動することを特徴とする、請求項１に記載の装置。
【請求項１１】
加圧下で流体を生成するかまたは運ぶ方法であって、
ａ）ハウジング外部、キャップ当接面、チャンバおよびボア開口部を有するハウジングであり、前記チャンバが加圧下で流体を収容するためのものであり、前記キャップ当接面がハウジング外部から離れキャップを受けるための前記ボア開口部を取り囲む領域を備え、前記ボア開口部が前記キャップ当接面から前記チャンバまで延びシール面および少なくとも１つのハウジングシール圧縮面を有する、ハウジングと、
ｂ）前記ボア開口部に保持されるシール部であり、前記シール部はシール開口部およびハウジング係合面を有し、前記シール開口部は軸方向にそれを通って延びるシャフトを受けるためのものであり、シール部を軸方向に前記ハウジングシール圧縮面に圧縮すると、前記シール部が前記ハウジング係合面を前記シール面にシールするように係合する、シール部と、
ｃ）軸心を有し、前記軸心を中心として回転し、または前記軸心に沿って移動するために、前記シール部のシール開口部に取付けられるシャフトと、
ｄ）キャップ外部、ハウジング当接面、キャップ開口部、およびキャップシール圧縮面を有するキャップであり、前記ハウジング当接面が前記キャップ当接面と係合し、前記シャフトが前記キャップ開口部を通って延び、前記シール部を前記ハウジングシール圧縮面に当てて前記ハウジング係合面を前記シール面にシールするように係合させて、前記キャップシール圧縮面が前記シール部に押圧されつつ、前記キャップが前記ハウジングに固定される、キャップと、
ｅ）前記ハウジング係合面から前記キャップ外部または前記ハウジング外部のうちの少なくとも１つまで、前記キャップ当接面および前記ハウジング当接面から離れている流路手段と、
を有する装置を提供するステップと、
前記ハウジング係合面からの流体がキャップの外部または前記ハウジングの外部に前記キャップ当接面および前記ハウジング当接面から離れて導かれるように前記装置を作動するステップと、
を備える、方法。
【請求項１２】
前記流路手段が、前記ハウジングまたはキャップのうちの少なくとも１つにあるチャネルであることを特徴とする、請求項１１に記載の方法。
【請求項１３】
前記シールが本体部およびキャップパッドを有し、前記本体部が前記ハウジング係合面と係合するためのものであり、キャップパッドが前記本体部よりも小さな可撓性を有し前記ハウジングシール圧縮面に前記本体部を圧縮することを特徴とする、請求項１１に記載の方法。
【請求項１４】
前記キャップパッドが、キャップ係合面を有することを特徴とする、請求項１３に記載の方法。
【請求項１５】
前記流路手段が、前記キャップ係合面にある少なくとも１つのチャネルであることを特徴とする、請求項１４に記載の方法。
【請求項１６】
前記流路手段が、前記シール圧縮面にある少なくとも１つのチャネルであることを特徴とする、請求項１４に記載の方法。
【請求項１７】
前記ハウジングが、ポンプハウジングであることを特徴とする、請求項１１に記載の方法。
【請求項１８】
前記ハウジングが、バルブハウジングであることを特徴とする、請求項１１に記載の方法。
【請求項１９】
前記シャフトが、回転することを特徴とする、請求項１１に記載の方法。
【請求項２０】
前記シャフトが、ハウジング内で軸方向に往復運動することを特徴とする、請求項１１に記載の方法。
【請求項２１】
加圧下で流体を生成するかまたは運ぶための装置に用いられるシール部であって、
前記シール部は、
ハウジングのボア開口部で受けられるために構成および配列されるシール本体部であって、前記ハウジングが、ハウジング外部、キャップ当接面、チャンバ、およびボア開口部を有し、前記チャンバが加圧下で流体を収容するためのものであり、前記ボア開口部が前記キャップ当接面から前記チャンバまで延び、シール面および少なくとも１つのハウジングシール圧縮面を有し、前記キャップ当接面が前記ハウジング外部から離れ、キャップを受けるために前記ボア開口部を取り囲み、前記シール本体部がシール開口部を有し、前記シール開口部が軸方向にそれを通って延びるシャフトを受けるためのものであり、前記シャフトが軸心を有し、前記軸心を中心として回転し、または前記軸心に沿って移動するために前記シール部のシール開口部に取付けられ、前記シール本体部がハウジング係合面、シールパッドおよびシール表面を有し、シール本体部を前記シール圧縮面に軸方向に圧縮して前記ボア開口部の前記シール面をシールするように係合すると、前記ハウジングシール圧縮面および前記シール表面と係合するために前記ハウジング係合面がある、シール本体部と、
前記シール本体部に固定され、前記シール本体部の開口部と協動するキャップパッド開口部を有するキャップパッドであって、前記キャップパッドが前記シール本体部の剛性よりも大きな剛性を有し、前記シール本体部に圧縮力を伝え、前記キャップパッドがキャップのキャップシール圧縮面を受けるためのキャップ係合面を有し、前記キャップがキャップ外部、ハウジング当接面、キャップ開口部およびキャップシール圧縮面を有し、前記ハウジング当接面が前記キャップ当接面と係合し、前記シャフトが前記キャップ開口部を通って延び、前記シール表面が前記ハウジング係合面を前記シール面に係合させるように、前記キャップシール圧縮面が前記キャップ係合面に押圧されつつ、前記キャップが前記ハウジングに固定するためのものである、キャップパッドと、
前記ハウジング係合面から前記キャップ外部または前記ハウジング外部のうちの少なくとも１つまで、前記キャップ当接面および前記ハウジング当接面から離れて流体を受けて運ぶための流路手段と、
を備える、シール部。
【請求項２２】
前記流路手段が、前記キャップ係合面にある少なくとも１つのチャネルであることを特徴とする、請求項２１に記載のシール部。
【発明の詳細な説明】
【技術分野】
【０００１】
本出願は、２００４年８月１８日に出願された米国特許仮出願第６０／６０２，３７６号明細書の優先権を主張するものである。これらの出願の内容は、参照により本明細書に組み込まれる。
【０００２】
本発明は流体処理装置の分野に関する。
【背景技術】
【０００３】
本発明は、加圧下で流体を処理するための装置に関する。たとえば、本発明の実施形態は、加圧下で流体を生成または制御するポンプおよびバルブに適用されるが、これに限定されるものではない。高圧を処理するための装置は、綿密に制御された公差を有する部品および構成要素によって構成される。このような部品および構成要素はまた、製造するのに費用のかかるものである。磨耗した部品や構成要素が交換されることができるように摩耗性を呈する構成要素および部品を設計できることが望ましい。そして、綿密に制御された公差を有する部品および構成要素を再利用することが望ましい。
【０００４】
不都合にも、摩耗した部品および構成要素は、交換の前に機能を果たさなくなる可能性がある。流体処理装置の多くの部品および構成要素の機能は、加圧下で流体を収容することである。たとえば、バルブまたはポンプ内のシールが破損することによって、流体の圧力および／または脈動に耐えることのできない装置の部分に、流体が放出される可能性がある。加圧された流体が不適切に加えられる部品および構成要素は、作用しなくなるか、他の構成要素および部品からの心合せを変える可能性がある。クロマトグラフィを行うための専用ポンプは、たいていサファイヤピストンを有する。心のずれた（ｍｉｓ−ａｌｉｇｎｅｄ）ピストンは、このようなポンプの精密な表面をえぐる可能性がある。ピストンは、傷つけられるなどで損傷を受ける可能性がある。不適切な圧力が加えられた部品および構成要素は、永久に変形する可能性がある。
【０００５】
クロマトグラフィの分野においては、上昇した圧力で作動することに対する関心がある。高速液体クロマトグラフィを行うための従来の圧力は、約３，０００ポンド／平方インチ（ｐｓｉ）までである。超高速液体クロマトグラフィ（ｕｌｔｒａ  ｐｅｒｆｏｒｍａｎｃｅ  ｌｉｑｕｉｄ  ｃｈｒｏｍａｔｏｇｒａｐｈｙ）を行うための圧力は、１５，０００ｐｓｉから２０，０００ｐｓｉに達する可能性がある。圧力がより大きくなると、シールが破損する可能性がより大きくなり、損傷の可能性がより大きくなる。
【０００６】
不適切な圧力を部品および構成要素に加えることのできないような方法で、流体処理装置の部品および構成要素によって装置の外部に流体を運ぶことが望ましいであろう。
【発明の開示】
【発明が解決しようとする課題】
【０００７】
本発明の実施形態は、漏れの場合に損傷を防止するように、綿密に制御された公差を有する表面から離れて流体を導くための装置および方法を目的とする。本発明の一実施形態は、加圧下で流体を生成するかまたは運ぶための装置を目的とする。装置は、ハウジング外部、キャップ当接面、チャンバ、およびボア開口部を有するハウジングを備える。チャンバは加圧下で流体を収容するためのものである。キャップ当接面は、キャップを受けるためのボア開口部を取り囲む外部から離れたハウジングの領域である。ボア開口部はキャップ当接面からチャンバまで延びる。ボア開口部は、シール面と、少なくとも１つのハウジングシール圧縮面とを有する。シール部はボア開口部内で保持される。シール部は、シール開口部およびハウジング係合面を有し、シャフトを受けるための上記シール開口部は軸方向にそれを通して延びる。シール部を上記シール圧縮面に軸方向に圧縮すると、シール部が上記シール面に上記ハウジング係合面をシールするように係合する。装置は、軸心を有しシール部のシール開口部に取付けられるシャフトをさらに備える。シャフトは、軸心を中心に回転し、または、軸心に沿って移動するためのものである。装置は、キャップ外部、ハウジング当接面、キャップ開口部、およびキャップシール圧縮面を有するキャップをさらに備える。ハウジング当接面がキャップ当接面と係合しながら、キャップがハウジングに固定される。シャフトがキャップ開口部を通って延び、シール部をシール圧縮面に当ててハウジング係合面をシール面にシールするように、キャップシール圧縮面がシール部に押圧される。装置は、上記ハウジング係合面からキャップ外部またはハウジング外部のうちの少なくとも１つまで、キャップ当接面およびハウジング当接面から離れて流体を受けて運ぶための流路手段をさらに備える。
【０００８】
一般に、キャップ当接面およびハウジング当接面は、他の構成要素および部品の関係に影響する。たとえば、ハウジングに対してキャップの心がずれることによって、シール開口部、キャップ開口部、およびボア開口部における対応するシャフトの心のずれが生じることとなる。この心のずれが、これらの構成要素の過度の費用のかかる摩耗と損傷とにつながる可能性がある。本発明の流路手段は、この敏感な領域から離れて加圧下の流体を導くものである。
【課題を解決するための手段】
【０００９】
本発明の一実施形態の流路手段は、ハウジングまたはキャップのうちの少なくとも１つにあるチャネルである。好ましい流路手段は、シール部に組み入れられる。好ましくは、シール部は、可撓性の本体部およびシール圧縮パッドを有する。本体部は、ハウジング係合面と係合するためのものである。シール圧縮パッドは可撓性の本体部よりも可撓性が小さく、上記シール圧縮面に可撓性の部分を圧縮する。好ましくは、シール圧縮パッドは、キャップ係合面を有する。好ましい流路手段は、キャップ係合面にある少なくとも１つのチャネルである。チャネルは、好ましくは、キャップ開口部からキャップ係合面にわたり半径方向に延びる。
【００１０】
代替において、本発明の一実施形態は、キャップの上記シール圧縮面にある少なくとも１つのチャネルを有する。
【００１１】
本発明の装置はポンプを備えてもよく、ここではハウジングがポンプハウジングであり、または、バルブを備えていてもよく、ここではハウジングはバルブハウジングである。ポンプの適用において、流体を移動させるのに、シャフトがチャンバの中または外で回転または移動してもよい。たとえば、シャフトがチャンバ内に往復運動式のピストンを備えてもよいが、これに限定されるものではない。
【００１２】
本発明の装置は、高圧下および超高圧下で流体を伴うポンプおよびバルブの適用において、特定の有用性を有する。
【００１３】
本発明のさらなる実施形態は、加圧下で流体を生成または運ぶ方法を備える。方法は、ハウジング外部、キャップ当接面、チャンバおよびボア開口部を有するハウジングを具備する装置を提供するステップを備える。チャンバは、加圧下で流体を収容するためのものである。キャップ当接面は、キャップを受けるためのボア開口部を取り囲む外部から離れたハウジングの領域である。ボア開口部は、キャップ当接部の領域からチャンバまで延びる。ボア開口部は、シール面および少なくとも１つのハウジングシール圧縮面を有する。
【００１４】
装置は、ボア開口部に保持されるシール部をさらに備える。シール部は、シール開口部およびハウジング係合面を有する。シール開口部は、軸方向にそれを通して延びるシャフトを受けるためのものである。シール部を上記シール圧縮面に軸方向に圧縮すると、シール部がハウジング係合面を上記シール面にシールするように係合する。軸心を有するシャフトが、軸心を中心に回転し、または、軸心に沿って移動するために、シール部のシール開口部に取付けられる。
【００１５】
ハウジング当接面がキャップ当接面と係合しつつ、キャップ外部と、ハウジング当接面と、キャップ開口部と、キャップシール圧縮面とを有するキャップがハウジングに固定される。シャフトはキャップ開口部を通って延びる。シール部をシール圧縮面に当ててハウジング係合面をシール面にシールするように係合させて、キャップシール圧縮面がシール部に押圧される。装置は、ハウジング係合面からキャップ外部またはハウジング外部のうちの少なくとも１つまで延び、キャップ当接面およびハウジング当接面から離れた流路手段を提供する。
【００１６】
方法は、ハウジング係合面からの流体がキャップの外部またはハウジングの外部に、キャップ当接面およびハウジング当接面から離れて導かれるように、このような装置を作動するステップをさらに備える。
【００１７】
流路手段はいくつかの形をとってもよい。たとえば、流路手段は、ハウジングまたはキャップのうちの少なくとも１つにチャネルを備えてもよい。または、流路手段はシール部に組み入れられてもよい。好ましくは、シール部は、可撓性部分およびシール圧縮パッドを有する。可撓性部分は、ハウジング係合面と係合するためのものである。シール圧縮パッドは可撓性の部分よりも可撓性が小さく、上記シール圧縮面に上記可撓性部分を圧縮する。チャネルがシール圧縮パッドに設けられ、ハウジングまたはキャップの外部に流体を導く。ハウジングがポンプハウジングまたはバルブハウジングであると、本発明の実施形態はシール部が漏れた場合の大きな損傷を防止する。
【００１８】
本発明のさらなる実施形態は、加圧下で流体を生成するかまたは運ぶための装置において使用されるシール部を目的とする。シール部は、ハウジングのボア開口部に受けられるように構成および配列されるシール本体部を備える。ハウジングは、ハウジング外部、キャップ当接面、チャンバ、およびボア開口部を有する。チャンバは加圧下で流体を収容するためのものである。ボア開口部はキャップ当接面からチャンバまで延びる。ボア開口部はまた、シール面および少なくとも１つのハウジングシール圧縮面を有する。キャップ当接面は、キャップを受けるためのボア開口部を取り囲む。シール本体部は、軸方向にそれを通って延びるシャフトを受けるためのシール開口部を有する。シャフトは軸心を有し、軸心を中心として回転し、または軸心に沿って移動するために、シール部のシール開口部に取付けられるように構成および配列される。シール本体部は、ハウジング係合面、シールパッドおよびシール表面を有する。ハウジング係合面は、ハウジングシール圧縮面と係合するために構成および配列される。シール本体部をシール圧縮面に軸方向に圧縮すると、シール表面がボア開口部のシール面をシールするように係合する。シール部は、シール本体部に固定されたキャップパッドをさらに備える。キャップパッドは、シール本体部の開口部と協動するように構成および配列されるキャップパッド開口部を有する。シール本体に圧縮力を伝えるように、キャップパッドはシール本体部よりも大きな剛性を有する。キャップパッドは、キャップのキャップシール圧縮面を受けるためのキャップ係合面を有する。キャップは、キャップ外部、ハウジング当接面、キャップ開口部、およびキャップシール圧縮面を有する。ハウジング当接面がキャップ当接面と係合し、シャフトが上記キャップ開口部を通って延びつつ、キャップがハウジングに固定されるように構成および配列される。シール表面が上記ハウジング係合面をシール面に係合させて、キャップシール圧縮面がキャップ係合面に押圧される。シール部は、ハウジング係合面からキャップ外部またはハウジング外部のうちの少なくとも１つまで、上記キャップ当接面および上記ハウジング当接面から離れて流体を受けて運ぶための流路手段をさらに備える。
【００１９】
好ましい流路手段は、キャップ係合面にある少なくとも１つのチャネルである。
【００２０】
本発明の実施形態は、シール表面を通って漏れる流体のための画成された経路を提供し、ポンプおよびバルブの組立体の部品間の圧力の増大を防止する。このような圧力の増大によって、結果として心のずれた部品および構成要素になる可能性があり、この部品および構成要素は、耐えることができないか、または結果として摩耗し得る応力を受け得る。
【００２１】
これらおよび他の特徴および効果は、以下の図面および詳細な説明を考察すると、当業者にとって明らかである。
【発明を実施するための最良の形態】
【００２２】
記載されている実施形態が好ましい実施形態であるということを理解しつつ、ここで、本発明の実施形態を図に関して記載することとする。たとえば、本発明が同様にバルブおよび他の取付け具に適用することを理解しつつ、以下の説明はポンプ組立体を記載するが、これに限定されるものではない。
【００２３】
ここで図１に戻ると、ポンプの形の全体として符号１１によって示される装置が表されている。装置１１は、図２において最もよく理解されるように、ハウジング１３、シール部１５、キャップ１７、シャフト１９および流路手段２１ａ，２１ｂ，および２１ｃを有する。ここで再び図１に戻ると、ポンプとしての装置１１が流体を加圧下で生成する。しかしながら、装置がバルブまたは取付け具の性質を帯びている異なる流体経路に流体を導くことができるように、装置１１の特徴が修正されてもよい。
【００２４】
ハウジング１３は、モータ２７およびスピンドル機構２９を有するポンプ組立体２５の一部分である。ハウジング１３が、スピンドル機構２９が適切な伝動装置などを通常備えるであろうバルブ（図示せず）のためのハウジングとして記載されることができることは、当業者には明らかであろう。図示されているように、スピンドル機構２９がシャフト１９に機械的に連結される。
【００２５】
ハウジング１３が図２においてより詳細に表されている。ハウジング１３は、ハウジング外部３１、キャップ当接面３３、チャンバ３５、およびボア開口部３７を有する。キャップ当接面３３は、外部３１から離れボア開口部３７を取り囲む、キャップ１７を受けるためのハウジング１３の領域を備える。ハウジング１３はキャップ凹部３９を有し、キャップ１７を心合せする。
【００２６】
チャンバ３５は加圧下で流体を収容するためのものである。ポンプとして、シャフト１９がチャンバ３５の中または外を移動して、流体を移動させる。バルブとして、シャフト１９が回転しステータ（図示せず）に嵌合されるロータ（図示せず）を回すことがより一般的であろう。示されているように、チャンバ３５が、流体を受けて排出するための入口４３および出口４１を有する。
【００２７】
ボア開口部３７がキャップ当接面３３からチャンバ３５まで延びる。ボア開口部３７はチャンバ３５に実質的に隣接してもよい。ボア開口部３７は、シール面４５と、少なくとも１つのハウジングシール圧縮面４７とを有する。シール面４５は、ハウジング１３およびシール部１５の間をシールするためのものである。ハウジングシール圧縮面４７は、シール面４５にシール部１５を当てる圧縮力をシール１５に生成させるためのものである。
【００２８】
シール部１５はボア開口部３７内で保持される。図３および図４において最もよく理解されるように、シール部１５は、シール開口部４９およびハウジング係合面５１を有する。シール開口部４９は、軸方向にそれを通って延びるシャフト１９を受ける。シール開口部４の表面がシャフトをシールするように係合し、流体がチャンバ３５を漏出しないようにする。シール部１５をハウジングシール圧縮面４７に軸方向に圧縮すると、ハウジング係合面５１がボア開口部３７のシール面４５をシールするように係合する。
【００２９】
シール部１５は、シール本体部５５およびシール圧縮パッド５７を有する。シール本体部５５は、ボア開口部３７のシール面４５と係合する可撓性部分である。シール本体部５５は、傾斜付き（ｃａｎｔｅｄ）コイルばね５９を有する。ハウジングシール圧縮面４７にシール部１５を圧縮すると、傾斜付きコイルばね５９が内方および外方に向けられた半径方向力を生成する。この半径方向力は、ハウジング係合面５１をハウジング１３のシール面４５にシールするように係合することを容易にする。しかしながら、多くとも１５，０００ｐｓｉの圧力を保持するシール部１５が破損する（ｆａｉｌ）可能性がある。破損すると、出口に達するまで流体がポンプの領域に漏れ、または、シールされた領域に直面している場合、流体は圧力を増大させる。しかしながら、感圧性である装置１１の領域において圧力が高まる可能性がある。
【００３０】
シール圧縮パッド５７はシール本体部５５よりも可撓性が小さく、シール圧縮面４７にシール本体部５５を圧縮する。シール圧縮パッド５７は、たとえばポリエチレンエーテルケトン（ＰＥＥＫ（登録商標））等のプラスチックから作製されるが、これに限定されるものではない。シール本体部５５は、ゴムまたはゴム状の材料から作製される。シール圧縮パッド５７は、キャップ１７と係合するためのキャップ係合面６１を有する。シール圧縮パッド５７は、シール機能を行うシール本体部の部分よりも剛性であるシール本体部の領域を示してもよいことは、当業者によって認識されるであろう。すなわち、シールキャップ５７がシール本体部５５と一体であってもよい。
【００３１】
ここで、図２に戻ると、シャフト１９は、シャフトに沿って長手方向に延びる軸心６３を有する。シャフト１９は一般に円筒状であり、シャフト１９およびシール部１５は、シャフト１９がシール開口部４９を嵌合するように構成および配列される。シャフト１９は、上記軸心６３を中心として回転し、または軸心６３に沿って往復運動式に移動するために、シール部１５のシール開口部４９に取付けられる。
【００３２】
キャップ１７は、キャップ外部６７、ハウジング当接面６９、キャップ開口部７１、およびキャップシール圧縮面７３を有する。キャップ外部６７は、ハウジング当接面６９、キャップ開口部７１およびキャップシール圧縮面７３以外のキャップ１７の部分である。ハウジング当接面６９がキャップ当接面３３と係合しつつ、キャップ１７がハウジング１３に固定される。ハウジング１３のキャップ１７に対する関係が重要である。図１において示されるように、キャップ１７は他の構成要素に固定される。キャップ１７がハウジング１３と心がずれることによって、移動する構成要素の極度の摩耗が生じる可能性があり、圧力のために設計されていない構成要素の形状を変える可能性がある。
【００３３】
ここで図２に戻ると、シャフト１９がキャップ開口部７１を通って延びる。キャップシール圧縮面７３が、シール圧縮パッド５７のキャップ係合面６１でシール部１５に押圧される。シール部１５は、シール圧縮パッド５７によってシール圧縮面４７に当たり、シール面４５にハウジング係合面５１をシールするように係合する。
【００３４】
装置１１は、ハウジング係合面５１からキャップ外部６７またはハウジング外部３１のうちの少なくとも１つまで、キャップ当接面３３およびハウジング当接面６９から離れて流体を受けて運ぶための流路手段２１を有する。流路手段２１は、いくつかの形をとってもよい。たとえば、流路手段２１の一実施形態は、シール部１５のキャップ係合面６１に、そして特に、図４において最もよく理解されるように、シール圧縮パッド５７にある、少なくとも１つのチャネル２１ｂであるが、これに限定されるものではない。
【００３５】
代替において、チャネル（図示せず）が、キャップ１７のキャップシール圧縮面７２に設けられてもよい。さらなる代替として、再び図２に戻ると、流路手段２１はハウジング１３にあるチャネル２１ｂである。さらなる代替として、チャネル２１ｃがキャップ１７に設けられている。
【００３６】
本発明の装置の実施形態は、シールが破損した場合、バルブおよび／またはポンプの部品または他の流体を収容する装置への重大な摩耗および損傷を防止するものである。これらの利点および特徴は、ポンプ、バルブおよび取付け具のためのキャップ係合面６１にあるチャネル２１ａを有するシール本体部５５を具備するシール部１５によって実現されることができる。
【００３７】
方法を目的とする本発明の実施形態は、本願明細書において作動の方法に関して論じられている。本発明の１つの方法は、流体を加圧下で生成または運ぶ方法を目的とする。方法は、ハウジング外部３１、キャップ当接面３３、チャンバ３５およびボア開口部３７を有するハウジング１３を具備する装置１１を提供するステップを備える。チャンバ３５は流体を加圧下で収容するためのものである。キャップ当接面３３は、ハウジング外部３１から離れ、キャップ１７を受けるためにボア開口部３７を取り囲む領域を備える。ボア開口部３７はキャップ当接面３３からチャンバ３５まで延び、シール面４５と、少なくとも１つのハウジングシール圧縮面４７とを有する。装置は、ボア開口部３７に保持されるシール部１５をさらに備える。シール部１５は、シール開口部４９およびハウジング係合面５１を有する。シール開口部４９は、軸方向にそれを通って延びるシャフト１９を受ける。シール部１５をシール圧縮面４７に軸方向に圧縮すると、シール部１５はシール面４５にハウジング係合面５１をシールするように係合する。装置１１は、軸心６３を有し、軸心６３を中心として回転し、またはたとえば内方および外方に往復運動式に移動する等、軸心６３に沿って移動するために、シール部１５のシール開口部４９に取付けられるシャフト１９をさらに備える。装置１１は、キャップ外部６７、ハウジング当接面６９、キャップ開口部７１、およびキャップシール圧縮面７３を有するキャップ１７をさらに備える。ハウジング当接面６９がキャップ当接面３３と係合し、シャフト１９がキャップ開口部７１を通って延びつつ、キャップ１７がハウジング１３に固定される。キャップシール圧縮面７３がシール圧縮面４７にシール１５を当ててシール部１５を押圧し、上記シール面４５にハウジング係合面５１をシールするように係合する。
【００３８】
装置１１は、ハウジング係合面５１からキャップ外部６７またはハウジング外部３１のうちの少なくとも１つまで、キャップ当接面３３およびハウジング当接面６９から離れている流路手段２１ａ，２１ｂ，または２１ｃをさらに備える。
【００３９】
方法は、ハウジング係合面５１からの流体がキャップ外部６７またはハウジング外部３１に、キャップ当接面３３およびハウジング当接面６９から離れて導かれるように装置１１を作動するステップをさらに備える。
【００４０】
本発明の方法は、装置１１を提供するかまたは装置１１のシール部１５を提供することによって実施されることができる。本発明のさらなる一実施形態は、このようなシール部１５を目的とする。シール部１５は、ハウジング１３のボア開口部３７に受けられるように構成および配列されるシール本体部５５を備える。ボア開口部３７およびハウジングは、すでに記載されているものとする。シール本体部５５は、軸方向にそれを通って延びるシャフト１９を受けるためのシール開口部４９を有する。シャフト１９はすでに記載されているものとする。シール本体部５５は、シール本体部５５を軸方向に圧縮するとハウジング１３のハウジングシール圧縮面４７と係合するためのハウジング係合面５１を有する。シール部１５は、シール本体部５５に固定されるかシール本体部５５と一体であるキャップパッド５７をさらに備える。キャップパッド５７は、シャフト１９を受けるためにそれを通って延びるシール開口部４９を有する。キャップパッド５７は、上記シール本体部５５の剛性よりも大きい剛性を有し、圧縮力をシール本体部５５へ伝える。キャップパッド５７は、キャップ１７のキャップシール圧縮面７３を受けるためのキャップ係合面６１を有する。キャップ１７の特徴は、すでに記載されているものとする。そして、このようなシール部１５は、ハウジング係合面５１からキャップ外部６７またはハウジング外部３１のうちの少なくとも１つまで、キャップ当接面３３およびハウジング当接面６９から離れて流体を受けて運ぶための流路手段２１ａをさらに備える。
【００４１】
好ましい流路手段は、キャップ係合面６１にある少なくとも１つのチャネル２１ａである。
【００４２】
このように、本発明の好ましい実施形態が図に関して記載されてきたが、本出願の教示から逸脱することなく、本発明が修正および変更されることが可能であることは、当業者にとって明らかである。それゆえに、本発明は、本願明細書において詳細な細部に制限されるべきではなく、請求項の主題を含むべきである。
【図面の簡単な説明】
【００４３】
【図１】本発明の特徴を組み入れる装置の断面図を表す。
【図２】図１において示される装置のポンプ組立体の断面図を表す。
【図３】本発明の特徴を組み入れるシール部の断面図を表す。
【図４】図３において示されるシール部の傾斜図を表す。
【図１】
2008510935.tif 000002
【図２】
2008510935.tif 000003
【図３】
2008510935.tif 000004
【図４】
2008510935.tif 000005